(57)【要約】【課題】簡単な構造により容易に分解再組み立てを行なえ、かつ製品状態での防塵性能も良好にできる液晶タッチパネル構造を提供する。【解決手段】液晶を納める枠状の液晶カバーとこれの前面に固定される窓枠状のタッチパネル本体からなり、前記液晶カバーの前面に部分的にのみタッチパネル本体を貼着し、残余の非貼着部分にはタッチパネル本体に密接する防塵用スペーサーを介在させた。【選択図】図２
2005242423.tif 000002
【特許請求の範囲】
【請求項１】
液晶を納める枠状の液晶カバーとこれの前面に固定される窓枠状のタッチパネル本体からなり、前記液晶カバーの前面に部分的にのみタッチパネル本体を貼着し、残余の非貼着部分にはタッチパネル本体に密接する防塵用スペーサーを介在させたことを特徴とする液晶タッチパネル構造。
【請求項２】
液晶カバーの前面の２辺に両面接着テープを配し、他の２辺に繊維質を表面基材とした防塵用スペーサーを配していることを特徴とする請求項１に記載の液晶タッチパネル構造。
【発明の詳細な説明】
【技術分野】
【０００１】
本発明は液晶タッチパネル構造に関する。
【背景技術】
【０００２】
車載用のオーディオ機器や通信機器等においては、モニター部分に液晶が用いられ、これの前面をカバーして指先で触れることによりスイッチングされる形式のタッチパネルが汎用されている。  
【０００３】
かかる液晶タッチパネルは、従来一般に、図１のように、立体枠状をなした板金製の液晶カバー１００と、液晶カバー１００の前面に固定された窓枠状のタッチパネル本体１０３から構成されている。
【０００４】
生産組立てラインにおいて、前記タッチパネル本体１０３の一体固定化は、液晶カバー１００の前面の全領域（上下、左右の４辺）に両面接着テープ１０４、１０４を貼り付けておき、これらにタッチパネル本体１０３を押し付けることで行なわれていた。
【０００５】
この構成によれば、タッチパネル本体１０３の４辺すべてが強固に固定されるので、液晶１０２とタッチパネル本体１０３のガラスとの間にごみ、ほこりが混入して不良が生じた場合、ごみやほこりを除去して再組立てするためにタッチパネル本体１０３を液晶カバー１００から分離しようとすると、容易に剥がすことができず、非常に手間と時間がかかり、場合によるとタッチパネル本体１０３を変形させてしまう恐れがあった。
【発明の開示】
【発明が解決しようとする課題】
【０００６】
本発明は前記のような問題点を解消するためになされたもので、その目的とするところは、簡単な構造により容易に分解再組み立てを行なえ、かつ製品状態での防塵性能も良好にできる液晶タッチパネル構造を提供することにある。
【課題を解決するための手段】
【０００７】
上記目的を達成するため本発明は、液晶を納める枠状の液晶カバーとこれの前面に固定される窓枠状のタッチパネル本体からなり、前記液晶カバーの前面に部分的にのみタッチパネル本体を貼着し、残余の非貼着部分にはタッチパネル本体に密接する防塵用スペーサーを介在させたことを特徴としている。
【発明の効果】
【０００８】
総貼り付け面積が減少するので、組立作業中に液晶とタッチパネル本体のガラスとの間にごみ、ほこりが混入して不良が生じた場合に、容易にタッチパネル本体を分離させることができ、再組立てを簡易迅速に行なえる。また、タッチパネル本体と液晶カバーの非接着部分があっても、製品状態で防塵用スペーサーが隙間を埋めるので、ごみやほこりが液晶とタッチパネル本体間に侵入せず、良好な防塵性能を発揮できる。
【発明を実施するための最良の形態】
【０００９】
好適には、液晶カバーの前面の２辺に両面接着テープを配し、他の２辺に繊維質を表面基材とした防塵用スペーサーを配している。繊維質とは、フェルトや不織布で代表されるものである。
これによれば、２辺の両面接着テープの接着力でタッチパネル本体を必要な固定力で定着でき、また、防塵用スペーサーが繊維質であることによる適度なクッション性により、液晶カバーとタッチパネル本体の接着されていない残余の領域を良好な閉止状態とすることができるとともに、ごみやほこりをうまく捕集して液晶カバーとタッチパネル本体間への侵入を阻止できる。
【実施例１】
【００１０】
以下添付図面を参照して本発明の実施例を説明する。
図２と図３は本発明による液晶タッチパネル構造の一実施例を示しており、１は板金製の液晶カバーであり、矩形状をなした窓枠部１０の各外縁部に、後方に延出する支持用部１１を一体に屈曲形成している。
２は液晶盤であり、前記支持用部１１に納められ、周縁部を除いて窓枠部１０に露出されている。
３は金属板製のタッチパネル本体であり、矩形状をなした窓枠３０にガラスなどの透明部材３１が嵌めこまれている。
【００１１】
４は前記液晶カバー１の窓枠部１０の前面に、要求固定力を発揮するに十分な面積だけ取り付けられた部分用両面テープであり、この例では、左右の短尺な縦の２辺のみに貼着されている。
【００１２】
５は部分用両面テープ４を除いた窓枠部１０の前面領域、この例では上下の長尺な横の２辺、に貼着された帯状の防塵用スペーサーである。
前記防塵用スペーサー５は、繊維質の表面基材５ａと、金属や合成樹脂製の薄いバックアップ材５ｂを有しており、バックアップ材５ｂの背面接着面が、液晶カバー窓枠部１０の上下の横２辺に貼付けられる。これに代えて、タッチパネル本体窓枠２０の上下背面の横２辺に貼付けられておいてもよい。
【００１３】
表面基材５ａの繊維質は適度な可縮性を有していることが好ましく、具体的には、フェルトでもよいが、コストや厚みの点などから不織布が好適である。前記防塵用スペーサー５は、全体が部分用両面テープ４の厚さと同等かわずかに厚いことが好ましい。
【００１４】
本発明の作用を説明すると、液晶タッチパネルを組み立てる際に、図２のように、液晶カバー窓枠部１０の上下の２辺に防塵用スペーサー５、５を貼付けておき、左右の２辺には比較的厚手の部分用両面テープ４、４の片面を貼付けておく。
この状態で、タッチパネル本体３を液晶カバー１の窓枠部１０に押し付けることにより、部分用両面テープ４、４で接着固定を行なう。
【００１５】
この作業後の検査でタッチパネル本体３と液晶２との間に、ごみやほこりが封入されている不良品であることがわかった場合には、タッチパネル本体３を剥がして分解するが、このときに、タッチパネル本体３は、部分用両面テープ４、４によって必要固定力が得られる範囲で液晶カバー１に貼り付けられているだけであるから、タッチパネル本体３の剥がし分解作業は非常に容易である。
【００１６】
不良品でない正規な製品の状態では、タッチパネル本体３と液晶カバー１の２辺間は、部分用両面テープ４、４で厚さ方向の隙間がなくされており、両面テープで接着されていない領域では、防塵用スペーサー５の繊維質の表面基材５ａが、タッチパネル本体３と液晶カバー１に挟圧され、隙間が生じないように密着している。そのため、タッチパネル本体３と液晶カバー１間を通して液晶表面側にほこりやごみが侵入することがなく、防塵性能は低下しない。
【００１７】
なお、防塵用スペーサー５は表面基材５ａに背部接着層を設けただけのものでもよいが、実施例のように背後にバックアップ材５ｂを有している場合、剛性があるため取り扱いが容易であり、くしゃくしゃしたりせずにタッチパネル本体３に簡単、確実に貼付けることができる。また、液晶カバー１の撓み防止材としても機能することができる。
【図面の簡単な説明】
【００１８】
【図１】従来の液晶タッチパネル構造の分解斜視図である。
【図２】本発明に係る液晶タッチパネル構造の分解斜視図である。
【図３】(ａ)は組立て状態の断面図、(ｂ)はその部分的拡大図である。
【符号の説明】
【００１９】
１  液晶カバー１
２  液晶盤
３  タッチパネル本体
４  部分用両面テープ
５  防塵用スペーサー５
５ａ  繊維質の表面基材
【図１】
2005242423.tif 000003
【図２】
2005242423.tif 000004
【図３】
2005242423.tif 000005